(57)【要約】【課題】複数の記録ドライブにコンテンツを記録可能な録画装置において、コンテンツの管理を容易することができる録画装置を提供する。【解決手段】  ＨＤＤ設定メニューを用いて設定変更するＨＤＤとして、ＨＤＤ２を選択確定させると主制御部の制御のもと設定メニューの画面は用途選択画面を表示し、選択されたＨＤＤの名前（ＨＤＤ２）と、選択可能な複数の用途項目の一覧を表示する。この一覧表示は、用途項目として「録画用」「写真用」「音楽用」「番組情報用」の用途が表示されている。  ここでユーザがリモコンを操作するなどして、任意の用途を選択して確定させることができる。つまりＨＤＤ２に対して、用途を「写真用」を選択して確定させる状態を示している。ここで設定を確定させると、主制御部は、ＨＤＤ２に対する用途として静止画データが記録されるように設定され、変更の完了画面が表示される。【選択図】 図５
2011077952.tif 000002
【特許請求の範囲】
【請求項１】
異なる種類の複数の映像コンテンツを取得する取得部と、
前記取得部により取得された映像コンテンツを記録する複数の記録ドライブが接続可能
なインタフェース部と、
前記複数の記録ドライブに対して、映像コンテンツの種類毎に前記複数の記録ドライブ
の用途を割り当てるための設定メニューを提示する提示部と、
前記提示部により提示された、設定メニューにより設定された、前記複数の記録ドライ
ブの用途に基づいて前記映像コンテンツの記録ドライブを割り当てる制御部と、を具備し
たことを特徴とする録画装置。
【請求項２】
前記映像コンテンツは、少なくとも放送番組、写真、音楽、番組情報の種類を有し、こ
の前記提示部はこの種類毎の用途を提示することを特徴とする請求項１記載の録画装置。
【請求項３】
前記提示部は、前記複数の記録ドライブのうち所定の記録ドライブについて、複数種類の
用途を割り当て、かつ用途毎の記録領域を変更可能とする詳細設定メニューを提示し、
前記制御部は、前記詳細設定メニューにより設定された用途および記録領域に基づいて、
前記所定の記録ドライブを割り当てることを特徴とする請求項２記載の録画装置。
【請求項４】
複数の記録ドライブが接続可能なインタフェース部を介して異なる種類の映像コンテン
ツを記録する録画管理方法において、
前記複数の記録ドライブに対して、映像コンテンツの種類毎に前記複数の記録ドライブ
の用途を割り当てるための設定メニューを提示し、
前記提示された設定メニューにより設定された、前記複数の記録ドライブの用途に基づ
いて前記映像コンテンツの記録ドライブを割り当て、
前記取得した映像コンテンツを、前記インタフェース部を介して前記設定メニューにより
割り当てられた前記複数の記録ドライブのうち所定の記録ドライブに記録することを特徴
とする録画管理方法。
【請求項５】
前記映像コンテンツは、少なくとも放送番組、写真、音楽、番組情報の種類を有し、種
類毎の用途が設定メニューに提示されることを特徴とする請求項４記載の録画管理方法。
【請求項６】
前記複数の記録ドライブのうち所定の記録ドライブについて、複数種類の用途を割り当て
、かつ用途毎の記録領域を変更可能とする詳細設定メニューを提示し、
前記詳細設定メニューにより設定された用途および記録領域に基づいて、前記所定の記録
ドライブを割り当てることを特徴とする請求項５記載の録画管理方法。
【発明の詳細な説明】
【技術分野】
【０００１】
本発明は記録装置に録画された映像コンテンツを管理する管理装置、詳しくは映像、音
声、写真な様々なコンテンツを複数の記録装置に記録し管理する録画装置に関するもので
ある。
【背景技術】
【０００２】
現在、テレビ番組などを記録する録画装置が普及している。これら録画装置はハードデ
ィスク（ＨＤＤ）などの大容量の記録ドライブにテレビ番組を複数録画し、録画された映
像コンテンツをユーザからの指示に応じて適宜再生することができるものである。
【０００３】
最近の録画装置は、ＨＤＤに多数のテレビ番組を録画することができるが、近年ＨＤ
Ｄの記録容量が大容量化してきたことにより、テレビ番組のみならず、様々なコンテンツ
を記録することができるようなってきた。例えば音楽コンテンツ、カメラで撮影した写真
などの静止画コンテンツ、さらには動画コンテンツなどである。
【０００４】
また最近はＨＤＤが安価となってきたため、複数のＨＤＤを用いて交換しながらより多
くの映像コンテンツを録画保存するような利用形態を行うユーザが現れてきている。
【先行技術文献】
【特許文献】
【０００５】
【特許文献１】特開２００８−１６５８５９号公報（図１）
【発明の概要】
【発明が解決しようとする課題】
【０００６】
このように複数のＨＤＤを用いて様々な映像コンテンツを録画することができるように
なると、映像コンテンツの管理が煩雑となり、ユーザは目的とするコンテンツを見つけ出
すのに多くの時間がかかり操作性が悪くなってしまうという問題がでてくる。  
そこで本発明は上述した課題を解決するため、複数の記録ドライブにコンテンツを記録
可能な録画装置において、コンテンツの管理を容易することができる録画装置を提供する
ことを目的とするものである。
【課題を解決するための手段】
【０００７】
上述した課題を解決し、目的を達成するために、本発明にかかる録画装置は、異なる種
類の複数の映像コンテンツを取得する取得部と、前記取得部により取得された映像コンテ
ンツを記録する複数の記録ドライブが接続可能なインタフェース部と、前記複数の記録ド
ライブに対して、映像コンテンツの種類毎に前記複数の記録ドライブの用途を割り当てる
ための設定メニューを提示する提示部と、前記提示部により提示された設定メニューによ
り設定された前記複数の記録ドライブの用途に基づいて前記映像コンテンツの記録ドライ
ブを割り当てる制御部とを具備したものである。
【０００８】
また本発明にかかる録画装置は、前記映像コンテンツは、少なくとも放送番組、写真、
音楽、番組情報の種類を有し、この前記提示部はこの種類毎の用途を提示するものである
。
【０００９】
また本発明にかかる録画装置は、前記提示部は、前記複数の記録ドライブのうち所定の
記録ドライブについて、複数種類の用途を割り当て、かつ用途毎の記録領域を変更可能と
する詳細設定メニューを提示し、前記制御部は、前記詳細設定メニューにより設定された
用途および記録領域に基づいて、前記所定の記録ドライブを割り当てるものである。
【発明の効果】
【００１０】
本発明によれば、複数の記録ドライブに様々なコンテンツを録画するときに、ユーザの
用途に応じて映像コンテンツを柔軟に管理することができる。
【図面の簡単な説明】
【００１１】
【図１】本発明に係る１実施形態を示す録画装置を示すシステム構成図。
【図２】本実施形態によるＨＤＤの用途変更を実現する動作を説明するためのフローチャート。
【図３】同実施形態の設定変更のための設定メニューを示す図。
【図４】同実施形態の用途変更のための設定メニューを示す図。
【図５】同実施形態の用途選択のための設定メニューを示す図。
【図６】同実施形態の設定完了状態を示す図。
【図７】同実施形態の詳細設定メニューを示す図。
【発明を実施するための形態】
【００１２】
以下に図面を参照して本発明にかかる録画装置、及び録画管理方法の最良な実施の形態
を詳細に説明する。
【００１３】
本実施形態の録画装置は、具体的にはデジタル放送を受信し、受信した放送番組を記録ド
ライブに記録することができるデジタル放送受信機であり、さらに記録装置として複数の
ハードディスク装置が接続可能でありこれらハードディスクに様々な映像コンテンツを記
録することができる機能を有するものである。
【００１４】
図１は本発明に係る１実施形態を示す録画装置を示すシステム構成図である。
【００１５】
図１に示すように本実施形態の録画装置１０は、チューナ１１ 、復調器１２、リモコン
１３、主制御部１４、スピーカ１５、ＬＣＤパネル１６、カードスロット１８、ＵＳＢイ
ンタフェース１７、複数のＨＤＤ１９〜２２から構成されている。
【００１６】
チューナ１１は地上波により放送されるデジタル放送波をデジタル放送用アンテナを介し
て受信するデジタルチューナである。チューナ部１１はユーザがリモコン１３により操作
により選局された放送局の放送波を受信し、受信した放送波を復調器１２に出力する。
【００１７】
復調器１２は、チューナ１１から入力した放送波を復調し、ＭＰＥＧ２形式で圧縮された
ＴＳパケットのデジタルデータとして主制御部１４に出力する。
【００１８】
主制御部１４は本録画装置１０の全体の制御を司るメインコントローラであり、復調器１
２が出力したデジタルデータをデコードしてＬＣＤパネル１６に映像を出力させ、スピー
カ１５に音声出力させる。さらには復調器が出力したＴＳパケットのデジタルデータを、
ＵＳＢインタフェース１７を介して接続された複数のＨＤＤに録画させる機能を有する。
またカードスロット１８に挿入されたメモリカードから音楽コンテンツやカメラで撮影し
た静止画コンテンツ、動画コンテンツなどを取得してＨＤＤに記録させる機能も有する。
このとき主制御部１４は、予め設定された内容に応じて各ＨＤＤに様々なコンテンツを振
り分けて記録させる機能を有する。
【００１９】
リモコン１３はユーザからの操作入力を出力するもので、本実施形態では、複数のＨＤＤ
の利用方法を設定する設定メニューをＬＣＤパネル１６に表示させて、ユーザが設定メニ
ューを見ながらＨＤＤの用途変更をするための操作信号を出力するものである。
【００２０】
ＵＳＢインタフェース１７は、複数のＨＤＤ１９〜２２とのデータ送受信を行う接続イン
タフェースであり、ＵＳＢ規格に基づいて複数のＨＤＤを接続可能なハブの機能を有する
。本実施形態ではＵＳＢインタフェースに同時に４台のＨＤＤが接続されている状態を示
しているが、最大８台までのＨＤＤが接続可能で、接続されるＨＤＤを着脱可能に交換す
ることでより多くのＨＤＤを記録装置として利用することができる。
【００２１】
ＨＤＤが接続されるとＵＳＢインタフェース１７は自動的にＨＤＤの認識処理を実行して
ＨＤＤの種別を特定し、接続されたＨＤＤの管理領域を参照して記録されたコンテンツリ
ストなどを主制御部１４に出力する。
【００２２】
このようなシステム構成を有する本実施形態の録画装置１０において、本実施形態では録
画装置１０であるデジタル放送受信機に接続された複数の録画用ハードディスクの用途を
変更し、写真用、音楽用など、放送コンテンツの録画以外の他の目的にも使えるような設
定変更するこができる機能を有する。  
以下図２のフローチャート及び図３乃至図７の設定メニュー画面を用いて本発明の特徴的
な機能の説明をする。
【００２３】
図２は本実施形態によるＨＤＤの用途変更を実現する動作を説明するためのフローチャー
トである。
【００２４】
まず、ユーザがリモコン１３を操作するなどして、図３に示すように設定メニューを表示
させる（ステップＳ２１）。この設定メニューにはハードディスク設定を行う項目が表示
されており、現在の設定状況の確認、または設定の変更を行う選択メニューが表示される
。そして「現在の設定」の確認が選択された場合、主制御部１４は、ＵＳＢインタフェー
ス１７を介して接続されている複数のＨＤＤ１９〜２２の管理領域を参照して各ＨＤＤの
用途の設定状況を表示させる。一方、選択メニューから「設定の変更」が選択された場合
、主制御部１４は図４に示すようなハードディスク設定画面をＬＣＤパネル１６に表示さ
せる。
【００２５】
「設定の変更」が選択された場合、主制御部１４は現在接続されている全てのＨＤＤの
一覧リストをＨＤＤに付与された名前と共に表示させ、さらに各ＨＤＤに設定する用途リ
ストを表示させる。図４の設定画面では、ＨＤＤ１〜ＨＤＤ４として名前が付与された複
数のＨＤＤが表示され、また用途としては「写真用」「音楽用」「番組情報用」の選択項
目が表示されている状態である。さらに図４ではユーザがリモコン１３を操作するなどし
て、ＨＤＤ２を選択するためにハイライトさせている。
【００２６】
次に、図４の画面でＨＤＤ２を選択確定させると、主制御部１４の制御のもと設定メニ
ューの画面は図５に示すような用途選択画面に移行する。図５に示す用途選択画面には、
選択されたＨＤＤの名前（ＨＤＤ２）と、選択可能な複数の用途項目の一覧が表示されて
いる。用途項目として図５では「録画用」「写真用」「音楽用」「番組情報用」の用途が
表示されている。
【００２７】
ここでユーザがリモコン１３を操作するなどして、任意の用途を選択して確定させるこ
とができる（ステップＳ２２）。図５の画面ではＨＤＤ２に対して、用途を「写真用」を
選択して確定させる状態を示している。ここで設定を確定させると、主制御部１４は、Ｈ
ＤＤ２に対する用途として静止画データが記録されるように設定させ、図６に示すような
変更の完了画面が表示させる（ステップＳ２３）。図６の設定完了画面では設定されたＨ
ＤＤと用途がハイライトされているので、どのハードディスクが何の用途になっているか
を確認することができる。
【００２８】
ＨＤＤ２に写真用の用途が設定された場合、主制御部１４はこの設定情報を図示しない
不揮発性メモリなどに記録するともに、ＨＤＤ２の管理領域に設定情報を格納する。そし
て、以降メモリカードなどから記録されるコンテンツが静止画データである場合には、自
動的にＨＤＤ２記録されるよう振り分ける制御を行う。静止画であるか否かは各コンテン
ツのデータヘッダに格納されているファイル属性情報や、ファイル名の拡張子（ｊｐｇ、
ｂｍｐなど）からコンテンツの種別を検出し、用途設定情報を参照して設定されたＨＤＤ
２に記録する。
【００２９】
各ＨＤＤを録画用の用途、音楽用の用途に設定された場合も同様に、ファイル属性情報
や拡張子からコンテンツの種別を判別する。録画データの場合には、属性情報を検出する
のではなく、チューナより受信したＴＳパケットの映像コンテンツであることを主制御部
１４が判別することでもよい。
【００３０】
また「番組情報用」の用途が選択された場合は、放送波から取得したテレビ番組ガイド
情報が更新される毎に、指定されたＨＤＤに記録している。このような番組情報を記録し
ていくことにより、従来では保存していなかった過去の番組ガイド情報を保存させておく
ことができ、ユーザの番組予約のための検索データベースや、ユーザの視聴履歴などを解
析するための嗜好検索などに利用することができる。
【００３１】
このように、接続された複数のＨＤＤについて、ユーザがその用途を設定することがで
きるようにすることで、従来録画用ハードディスクをデジタル放送受信機に搭載した場合
、録画専用としてしか利用できなかったのに対して、録画にはあまりハードティスクの容
量を割り当てる必要がない場合、写真用、音楽用、番組の詳細説明情報を保存する番組情
報用として利用することができるようになる。
【００３２】
ここで、設定の単位をハードディスク単位で設定するだけでなく、図７に示すような詳
細設定メニューを用いて、１台のハードディスクを仮想化的に１つの容器として認識させ
ることもできる。具体的には、各用途の領域の割合を数値で表示させ、この割合をユーザ
に変更させることを許可するものである。そして変更された状態は領域バーとして可視化
させてユーザに対して認識を容易にさせる。
【００３３】
このようにハードディスクの領域をユーザに任意に調整する設定は１台のＨＤＤだけでな
く、複数台のＨＤＤそれぞれに対しても設定できる。このようにハードティスク利用用途
を詳細に設定することができることで、よりきめ細かくユーザのニーズにあった用途でＨ
ＤＤを提供することができる。
【００３４】
なお、本発明は、上記実施の形態そのままに限定されるものではなく、実施段階ではそ
の要旨を逸脱しない範囲で構成要素を変形して具体化することができる。また、上記実施
の形態に開示されている複数の構成要素の適宜な組み合わせにより、種々の発明を形成す
ることができる。例えば、実施の形態に示される全構成要素からいくつかの構成要素を削
除してもよい。さらに、異なる実施の形態にわたる構成要素を適宜組み合わせても良い。
【符号の説明】
【００３５】
１１…チューナ
１２…復調器
１３…リモコン
１４…主制御部
１５…スピーカ
１６…ＬＣＤパネル
１７…ＵＳＢ インタフェース
１８…カートスロット
１９〜２２…ＨＤＤ
【図１】
2011077952.tif 000003
【図２】
2011077952.tif 000004
【図３】
2011077952.tif 000005
【図４】
2011077952.tif 000006
【図５】
2011077952.tif 000007
【図６】
2011077952.tif 000008
【図７】
2011077952.tif 000009